(57)【要約】【課題】商品陳列棚の棚に陳列されている商品の価格等の情報について、その表示の変更を、容易に行えるようにする。【解決手段】  棚札として電子ペーパーを備える商品陳列棚と、商品情報とデザイン情報とを管理する商品情報管理コンピュータとが、構内ネットワークに接続しており、  商品情報管理コンピュータは、表示内容を変更する電子ペーパーのアドレスを指定して、この電子ペーパーを特定し、この電子ペーパーを備える商品陳列棚へ、ネットワークを介して、商品情報と、そのデザイン情報とを送信し、  商品陳列棚は、指定されたアドレスで特定される電子ペーパーを備える場合に、この電子ペーパーへ、商品情報と、そのデザイン情報とを転送し、  電子ペーパーは、指定されたアドレスで特定される場合に、商品情報と、そのデザイン情報とを受信して、表示内容を、このデザイン情報に従ったこの商品情報の表示に書き換えることを特徴とするシステム。【選択図】なし【特許請求の範囲】
【請求項１】
棚札として電子ペーパーを備える商品陳列棚と、商品情報とデザイン情報とを管理する商品情報管理コンピュータとが、構内ネットワークに接続しているシステムであって、
商品情報管理コンピュータは、表示内容を変更する電子ペーパーのアドレスを指定して、この電子ペーパーを特定し、この電子ペーパーを備える商品陳列棚へ、ネットワークを介して、商品情報と、そのデザイン情報とを送信する機能を有し、
商品陳列棚は、指定されたアドレスで特定される電子ペーパーを備える場合に、この電子ペーパーへ、商品情報と、そのデザイン情報とを転送する機能を有し、
電子ペーパーは、指定されたアドレスで特定される場合に、商品情報と、そのデザイン情報とを受信して、表示内容を、このデザイン情報に従ったこの商品情報の表示に書き換える機能を有することを特徴とする棚札の表示内容の変更システム。
【請求項２】
棚札として電子ペーパーを備える商品陳列棚と、商品情報とデザイン情報とを管理する商品情報管理コンピュータとが、構内ネットワークに接続しているシステムが実行する方法であって、
商品情報管理コンピュータが、表示内容を変更する電子ペーパーのアドレスを指定して、この電子ペーパーを特定し、この電子ペーパーを備える商品陳列棚へ、ネットワークを介して、商品情報と、そのデザイン情報とを送信する工程と、
指定されたアドレスで特定される電子ペーパーを備える商品陳列棚が、この電子ペーパーへ、商品情報と、そのデザイン情報とを転送する工程と、
指定されたアドレスで特定される電子ペーパーが、商品情報と、そのデザイン情報とを受信して、表示内容を、このデザイン情報に従ったこの商品情報の表示に書き換える工程とを含むことを特徴とする棚札の表示内容の変更方法。
【発明の詳細な説明】
【技術分野】
【０００１】
本発明は、商品陳列棚の棚に陳列されているの価格等の情報について、その表示を変更する技術に関する。
【背景技術】
【０００２】
一般に、商品陳列棚の棚に陳列されている商品の価格等の情報を表示するために、この商品情報を記載した棚札が商品陳列棚に添付されている。商品の価格等の情報が変更された場合、その表示を変更することは、通常、変更された情報を記載した棚札を、新たに作成して差し替えることにより行われている。
【０００３】
尚、棚札は、プライスカード、値札などとも呼ばれる。
【０００４】
しかしながら、スーパーマーケットなどのように、多種類の商品を扱い、しかも特売やタイムサービスを頻繁に行う店では、特売やタイムサービスに伴って、多数の棚札を作成して差し替える作業が必要となり、この作業に掛る時間と費用が大変なものとなる。
【発明の開示】
【発明が解決しようとする課題】
【０００５】
本発明は斯かる背景技術に鑑みてなされたもので、商品陳列棚の棚に陳列されている商品の価格等の情報について、その表示の変更を、容易に行えるようにすることを課題とする。
【課題を解決するための手段】
【０００６】
本発明において上記課題を達成するために、まず請求項１の発明では、棚札として電子ペーパーを備える商品陳列棚と、商品情報とデザイン情報とを管理する商品情報管理コンピュータとが、構内ネットワークに接続しているシステムであって、
商品情報管理コンピュータは、表示内容を変更する電子ペーパーのアドレスを指定して、この電子ペーパーを特定し、この電子ペーパーを備える商品陳列棚へ、ネットワークを介して、商品情報と、そのデザイン情報とを送信する機能を有し、
商品陳列棚は、指定されたアドレスで特定される電子ペーパーを備える場合に、この電子ペーパーへ、商品情報と、そのデザイン情報とを転送する機能を有し、
電子ペーパーは、指定されたアドレスで特定される場合に、商品情報と、そのデザイン情報とを受信して、表示内容を、このデザイン情報に従ったこの商品情報の表示に書き換える機能を有することを特徴とする棚札の表示内容の変更システムとしたものである。
【０００７】
また請求項２の発明では、棚札として電子ペーパーを備える商品陳列棚と、商品情報とデザイン情報とを管理する商品情報管理コンピュータとが、構内ネットワークに接続しているシステムが実行する方法であって、
商品情報管理コンピュータが、表示内容を変更する電子ペーパーのアドレスを指定して、この電子ペーパーを特定し、この電子ペーパーを備える商品陳列棚へ、ネットワークを介して、商品情報と、そのデザイン情報とを送信する工程と、
指定されたアドレスで特定される電子ペーパーを備える商品陳列棚が、この電子ペーパーへ、商品情報と、そのデザイン情報とを転送する工程と、
指定されたアドレスで特定される電子ペーパーが、商品情報と、そのデザイン情報とを受信して、表示内容を、このデザイン情報に従ったこの商品情報の表示に書き換える工程とを含むことを特徴とする棚札の表示内容の変更方法としたものである。
【発明の効果】
【０００８】
本発明は、商品陳列棚の棚に陳列されている商品の価格等の情報について、その表示の変更を、容易に行えるという効果がある。
【発明を実施するための最良の形態】
【０００９】
以下に、本発明の最良の一実施形態を説明する。
【００１０】
本実施形態では、商品陳列棚は、図１に示すように、１つ又は複数の棚１と、各棚１に一つ又は複数の電子ペーパー２とを備える。
【００１１】
電子ペーパーは、棚札の形状をしており、表示内容の書き換えが可能な電子ディスプレイ装置である。電子ペーパーは、棚札として、棚に陳列されている商品の価格等の情報を表示するために用いられる。図２に、電子ペーパーに表示された商品情報の例を示す。
【００１２】
商品陳列棚は、図３にしめすように、構内ネットワークに接続されている。この構内ネットワークには、商品情報管理コンピュータも接続されている。
【００１３】
各電子ペーパーには、個々の電子ペーパーを識別する識別子として、個別のアドレスが登録されている。
【００１４】
商品情報管理コンピュータは、商品情報と、デザイン情報とを管理する。この商品情報には、商品の価格等の情報が含まれる。また、このデザイン情報は、商品情報を電子ペーパーで表示するときの表示の仕方を規定する情報であって、例えば、商品情報を表す文字列の大きさと書体、商品情報とともに表示する絵柄等の情報、これら文字列や絵柄等の情報の配置などについての情報を含む。
【００１５】
商品情報管理コンピュータは、表示内容を変更する電子ペーパーのアドレスを指定して、この電子ペーパーを特定し、この電子ペーパーを備える商品陳列棚へ、ネットワークを介して、商品情報と、そのデザイン情報とを送信する機能を有する。
【００１６】
商品陳列棚は、指定されたアドレスで特定される電子ペーパーを備える場合に、この電子ペーパーへ、商品情報と、そのデザイン情報とを転送する機能を有する。
【００１７】
電子ペーパーは、指定されたアドレスで特定される場合に、商品情報と、そのデザイン情報とを受信して、表示内容を、このデザイン情報に従ったこの商品情報の表示に書き換える機能を有する。
【００１８】
以下に、電子ペーパーの表示内容を変更する処理の流れの例を説明する。
【００１９】
ＳＴＥＰ１；
商品情報管理コンピュータは、表示内容を変更する電子ペーパーのアドレスを指定して、この電子ペーパーを特定し、この電子ペーパーを備える商品陳列棚へ、ネットワークを介して、商品情報と、そのデザイン情報とを送信する。
【００２０】
ＳＴＥＰ２；
指定されたアドレスで特定される電子ペーパーを備える商品陳列棚は、この電子ペーパーへ、商品情報と、そのデザイン情報とを転送する。
【００２１】
ＳＴＥＰ３；
指定されたアドレスで特定される電子ペーパーは、商品情報と、そのデザイン情報とを
受信して、表示内容を、このデザイン情報に従ったこの商品情報の表示に書き換える。
【図面の簡単な説明】
【００２２】
【図１】本発明に係わる商品陳列棚の例を示す図。
【図２】本発明に係わる電子ペーパーに表示された商品情報の例を示す図。
【図３】本発明に係わるシステムの例を示す図。
【符号の説明】
【００２３】
１…棚
２…電子ペーパー
【図１】
2005185316.tif 000002
【図２】
2005185316.tif 000003
【図３】
2005185316.tif 000004